(57)【要約】      （修正有）【課題】アンカーナットを天井に固定する作業をはじめ、固定後の叩き棒挿入ガイドピンとアンカーナットとの締結解除する作業を容易にし、作業効率を高めたアンカーナット固定工具の提供。【解決手段】下穴が開口する表面に座着される座ａ3を有し、該座の座面側に該下穴に挿入するアンカーナットｃ1に螺合する雄ネジａ5を有し、該座と該雄ネジを貫通する貫通孔を有する叩き棒挿入ガイドピンａ1に、該貫通孔に貫挿し上記アンカーナットの割筒部ｃ4を拡開せしめ上記下穴の内壁に喰いつかせるための叩き棒を有するアンカーナット固定工具において、該叩き棒に軸線に直交するガイド穴ｂ2と、該ガイド穴にガイド軸ｂ3を挿入配設し、上記叩き棒挿入ガイドピンに該ガイド穴と直交する方向に該ガイド軸がスライド可能にガイドされるスライド穴ａ6を有した構成とした。【選択図】  図１
2007051532.tif 000002
【特許請求の範囲】
【請求項１】
下穴が開口する表面に座着される座を有し、該座の座面側に該下穴に挿入するアンカーナットに螺合する雄ネジを有し、該座と該雄ネジを貫通する貫通孔を有する叩き棒挿入ガイドピンに、該貫通孔に貫挿し上記アンカーナットの割筒部を拡開せしめ上記下穴の内壁に喰いつかせるための叩き棒を有するアンカーナット固定工具において、該叩き棒に軸線に直交するガイド穴と、該ガイド穴にガイド軸を挿入配設し、上記叩き棒挿入ガイドピンに該ガイド穴と直交する方向に該ガイド軸がスライド可能にガイドされるスライド穴を有した構成を特徴とするアンカーナット固定工具。
【発明の詳細な説明】
【技術分野】
【０００１】  本発明は、土木、建設等において荷重支持のアンカーナットを固定するときに使用するアンカーナット固定工具に関する。
【技術背景】
【０００２】  従来からあるアンカーナット固定工具は、アンカーナットに内填しているくさび体を該アンカーナット固定工具の叩き棒をハンマーで叩き、該くさび体を押し込みアンカーナットの割筒部を拡開せしめ固定するものがある。（例えば、特許文献１参照）
【特許文献１】特開２００４−２５１０８０
【発明の開示】
【発明が解決しようとする課題】
【０００３】  上記に述べた特許文献１のアンカーナット固定工具は、手作業で行うものでありアンカーナットを天井に固定する場合、上体が仰向けの姿勢になり叩き込み作業が困難であり又、固定後の叩き棒挿入ガイドピンとアンカーナットとの締結解除する時、叩き棒挿入ガイドピンをスパナ等を以って手作業で回して解除しなければならず、作業効率が悪い。
【課題を解決するための手段】
【０００４】  本発明は上記の問題点を解決するアンカーナット固定工具を提供する。本発明のアンカーナット固定工具は、下穴が開口する表面に座着される座を有し、該座の座面側に該下穴に挿入するアンカーナットに螺合する雄ネジを有し、該座と該雄ネジを貫通する貫通孔を有する叩き棒挿入ガイドピンに、該貫通孔に貫挿し上記アンカーナットの割筒部を拡開せしめ上記下穴の内壁に喰いつかせるための叩き棒を有するアンカーナット固定工具において、該叩き棒に軸線に直交するガイド穴と、該ガイド穴にガイド軸を挿入配設し、上記叩き棒挿入ガイドピンに該ガイド穴と直交する方向に該ガイド軸がスライド可能にガイドされるスライド穴を有した構成とするものである。
【発明の効果】
【０００５】  これにより、本発明のアンカーナット固定工具を振動モード・正回転モード・逆回転モードの３モード切り替えの振動ドリルに装着して使用することにより、アンカーナットを天井に固定する作業をはじめ、固定後の叩き棒挿入ガイドピンとアンカーナットとの締結解除する作業を容易にし、作業効率を高めた。
【発明を実施するための最良の形態】
【０００６】    本実施例に用いられる振動モード・正回転モード・逆回転モードの３モード切り替えの振動ドリルは、既存のドリルであり、一般的な公知技術であるため、その詳細な構成の説明は省略する。【０００７】  本発明の実施の形態を、図１、２に基づいて説明する。なお、本明細書中の説明における上下方向は、添付した図面を基準にしたもので、相対的な位置関係を示すものである。【０００８】  図１は振動ドリルｗ１に、アンカーナットｃ１を締結した本発明のアンカーナット固定工具を装着した状態の全体断面図である。【０００９】  図１に示す本発明のアンカーナット固定工具は、叩き棒挿入ガイドピンａ１を本体とし、該ガイドピンａ１の軸芯上に貫設せる叩き棒ｂ１の貫挿孔ａ２を有する。【００１０】  又、上記叩き棒挿入ガイドピンａ１の外周面に座ａ３を有し、該座ａ３の座面の下に同軸線上に雄ネジａ５を設け、該雄ネジａ５はアンカーナットｃ１の雌ネジｃ２と螺合し、又上記貫挿孔ａ２に貫挿する叩き棒ｂ１を有する。【００１１】  上記叩き棒ｂ１は図１に示すように、軸線に直交するガイド穴ｂ２を有し、該ガイド穴ｂ２に該ガイド穴ｂ２の長さより長いガイド軸ｂ３を挿入配設し、該叩き棒ｂ１の外周面より該ガイド軸ｂ３の端部が突出する。【００１２】  上記叩き棒挿入ガイドピンａ１は、上記座ａ３の上方に上記叩き棒ｂ１のガイド穴ｂ２と直交する方向に上記ガイド軸ｂ３がスライド可能にガイドされるスライド穴ａ６を有する。【００１３】  又、上記ガイド軸ｂ３がスライドする距離ｉ１は、該ガイド軸ｂ３がスライドする上端から下端までのスライド長ｉ１であり、該スライド長ｉ１は上記叩き棒ｂ１がアンカーナットｃ１に内填しているくさび体ｃ３を押圧し、該くさび体ｃ３が該アンカーナットｃ１の割筒部ｃ４が拡開し、図１、２に示す壁下穴ｆ２に固定するまでの該くさび体ｃ３の移動長さｉ２と略同長である。【００１４】  まず図２に示す、壁ｆ１に下穴ｆ２をアンカーナットｃ１の長さより十分深く下穴を掘り、必要に応じ該壁下穴ｆ２の中に残った削り破片を除去する。【００１５】  次に図１に示すように、本アンカーナット固定工具の叩き棒ｂ１を振動モード・正回転モード・逆回転モードの３段切り替えの振動ドリルｗ１のチャックに銜えて本工具を装着する。【００１６】  次に、本工具の叩き棒挿入ガイドピンａ１の雄ネジａ５とアンカーナットｃ１の雌ネジｃ２を該アンカーナットｃ１の端面が上記座ａ３の下面である座面ａ４に当接するまで螺合締結する。【００１７】  次に、本工具の座ａ３の座面ａ４を下穴開口表面に座着せしめる。【００１８】  そして、上記振動ドリルｗ１のモードを振動モードに設定して、該振動ドリルｗ１を、上記叩き棒挿入ガイドピンａ１の貫通孔ａ２に貫挿した叩き棒ｂ１のガイド軸ｂ３が該叩き棒挿入ガイドピンａ１のスライド穴ａ６の下端に達するまで下方に押圧作動する。【００１９】  それにより、図２に示すようにアンカーナットｃ１内のくさび体ｃ３が叩き棒ｂ１により押し込まれ、該くさび体ｃ３は該アンカーナットｃ１の割筒部ｃ４を拡開し、壁ｆ１の下穴ｆ２の内壁に該割筒部ｃ４が喰いつき固定する。【００２０】  次に、上記ガイド軸ｂ３が上記スライド穴ａ６の下端に達したこと確���して、上記振動ドリルｗ１のモードを逆回転モードに切り替えて作動することにより、上記叩き棒ｂ１の該ガイド軸ｂ３が上記叩き棒挿入ガイドピンａ１のスライド穴ａ６に嵌合されていることにより、該叩き棒挿入ガイドピンａ１は、空回りすることなく該叩き棒ｂ１と共に逆回転して、該叩き棒挿入ガイドピンａ１の雄ネジａ５は、アンカーナットｃ１の雌ネジｃ２と締結解除され、該アンカーナットｃ１は、図２に示すようにアンカーナットｃ１の上端面と壁ｆ１の表面が同一面に固定される。【００２１】  尚、上記叩き棒挿入ガイドピンａ１は、該叩き棒挿入ガイドピンの軸芯上に貫設せる叩き棒の貫挿孔を有し、又、該叩き棒挿入ガイドピンと座を切り離し、該叩き棒挿入ガイドピンの外周面に雄ネジを設け、又座に雌ネジを螺設し、該叩き棒挿入ガイドピンの該雄ネジと該座の該雌ネジを螺合し、該螺合量により該座の上下の位置を調整する構成を有し、更に該叩き棒挿入ガイドピンの下端に同軸線上に上記貫挿孔が貫通するアンカーナットの雌ネジと螺合する螺合ネジ部を設けたものでもよい。
【図面の簡単な説明】
【００２２】
【図１】振動ドリルに、アンカーナットを締結した本発明のアンカーナット固定工具を装着した状態の部分断面図である。
【図２】アンカーナット固定工具をアンカーナットから締結解除し、撤去した状態を示す断面図。
【符号の説明】
【００２３】  ａ１−叩き棒挿入ガイドピン
ａ２−貫通孔
ａ３−座
ａ４−座面
ａ５−雄ネジ
ａ６−スライド穴
ｂ１−叩き棒
ｂ２−ガイド穴
ｂ３−ガイド軸
ｃ１−アンカーナット
ｃ２−雌ネジ
ｃ３−くさび体
ｃ４−割筒部
ｆ１−壁
ｆ２−下穴
ｉ１−ガイド軸のスライド長さ
ｉ２−くさび体の移動長さ
ｗ１−振動ドリル
【図１】
2007051532.tif 000003
【図２】
2007051532.tif 000004